(57)【要約】【課題】視認されない線幅を維持しつつ、より高い発熱量を得ることができ、霜や曇りの除去性能の高い加熱電極装置を提供する。【解決手段】透明である基材層（２４）と、基材層の表裏のそれぞれに配置された金属の線条である複数の発熱導体（２２ａ、２２ｂ）と、を備える。【選択図】図３
2017111937.tif 000002
【特許請求の範囲】
【請求項１】
通電してガラスを加熱する加熱電極装置であって、
透明である基材層と、
前記基材層の表裏のそれぞれに配置された金属の線条である複数の発熱導体と、を備える加熱電極装置。
【請求項２】
前記基材層の表裏のそれぞれに配置され、複数の前記発熱導体の一端及び他端が接続されるバスバー電極を具備する請求項１に記載の加熱電極装置。
【請求項３】
透明な第一のガラスパネルと、
前記第一のガラスパネルに対して間隔を有して配置される透明な第二のガラスパネルと、
前記第一のガラスパネルと前記第二のガラスパネルとの前記間隔に配置される請求項１又は２に記載の加熱電極装置と、を備える、通電加熱ガラス。
【請求項４】
請求項３に記載の通電加熱ガラスを備える乗物。
【発明の詳細な説明】
【技術分野】
【０００１】
本発明は、通電することでジュール熱（Ｊｏｕｌｅ  ｈｅａｔ）により発熱する発熱導体を備える加熱電極装置、これを用いた通電加熱ガラス、及び乗物に関する。
【背景技術】
【０００２】
従来より、特許文献１に記載のように、自動車、鉄道、航空機、及び船舶等の乗り物のガラス窓、並びに、建物のガラス窓に対して、通電することにより加熱し、ガラス窓の凍結や曇りを解消する技術がある。このようなガラス窓は、２枚のガラス板の間に加熱電極装置を具備して構成されている。そして当該加熱電極装置は、複数の線条の発熱導体を有しており、発熱導体に通電させることで発熱させてガラス窓を加熱できるように構成されている。
【０００３】
このような発熱導体は、ガラス窓に配置されているので、視認されてしまうことは回避されなければならず、発熱導体の線幅及びその配置密度に限界がある。従って発熱量を高めて高性能化することに困難があった。
【０００４】
これに対して、特許文献２に記載のように、透明樹脂基材上に導電性の金属メッシュが配置される技術がある。
【先行技術文献】
【特許文献】
【０００５】
【特許文献１】実開昭６４−２８３０９号公報
【特許文献２】特開２０１５−２０７２３号公報
【発明の概要】
【発明が解決しようとする課題】
【０００６】
しかしながら、特許文献２に記載のような発明でも、視認されないことを満たしつつ発熱量を増やすことについて限界があった。
【０００７】
そこで本発明は、上記問題点に鑑み、視認されない線幅を維持しつつ、より高い発熱量を得ることができ、霜や曇りの除去性能の高い加熱電極装置を提供することを課題とする。またこの加熱電極装置を有する通電加熱ガラス、及び乗物を提供する。
【課題を解決するための手段】
【０００８】
発明者らは鋭意検討の結果、次のような知見を得た。すなわち、加熱電極装置は電源と抵抗（発熱導体）による電気回路であり、その電源電圧をＶとし、発熱導体の抵抗値をＲとすれば、その発熱量ＱはＶ２／Ｒにより算出される。ここで、当該加熱電極装置は乗物に設置されることを考えると、鉛蓄電池等が用いられ、電源電圧Ｖが一定であることから、発熱量Ｑを高めるためには発熱導体の抵抗値Ｒを小さくすることが必要である。
【０００９】
抵抗値Ｒは、材質を決めれば、その長さに比例、その断面積に反比例して大きくなる。ここで、加熱電極装置の設置の事情を鑑みると、その長さを短くして抵抗値をＲを小さくすることは難しく、すなわち、発熱導体の断面積Ｓを大きくすることで抵抗値Ｒを小さくすることが考えられる。
【００１０】
ところが、発熱導体の断面積を大きくすることは太くなることを意味し、特に線幅を大きくすると視認されてしまう。一方、線幅を一定にしたまま断面積Ｓを大きくすることはその厚さが大きくなることを意味するが、エッチングにより発熱導体を作製すると、このような厚さが大きい線条を作製することに困難がある。（エッチングが必ずしも均等に進行するとは限らず、厚さが大きいとその不均等が顕著になり上部が細くなるいわゆるサイドエッチングという現象が生じる。）
【００１１】
発明者らはこのような問題に対して、これを解決し、線幅を許容される範囲に維持しつつも断面積を大きくする着想を得て具体化し、本発明を完成させた。以下本発明について説明する。ここでは理解容易のため図面の参照符号を付記するが、本発明はこれに限定されるものではない。
【００１２】
請求項１に記載の発明は、通電してガラスを加熱する加熱電極装置（２０）であって、透明である基材層（２４）と、基材層の表裏のそれぞれに配置された金属の線条である複数の発熱導体（２２ａ、２２ｂ）と、を備える加熱電極装置である。
【００１３】
請求項２に記載の発明は、請求項１に記載の加熱電極装置（２０）において、基材層（２４）の表裏のそれぞれに配置され、複数の発熱導体（２２ａ、２２ｂ）の一端及び他端が接続されるバスバー電極（２１ａ、２１ｂ）を具備する。
【００１４】
請求項３に記載の発明は、透明な第一のガラスパネル（１１）と、第一のガラスパネルに対して間隔を有して配置される透明な第二のガラスパネル（１５）と、第一のガラスパネルと第二のガラスパネルとの間隔に配置される請求項１又は２に記載の加熱電極装置（２０）と、を備える、通電加熱ガラス（１０）である。
【００１５】
請求項４に記載の発明は、請求項３に記載の通電加熱ガラス（１０）を備える乗物である。
【発明の効果】
【００１６】
本発明によれば、基材層の表裏に発熱導体が設けられているので、断面積を大きくとることができる。その際には線幅は拡大する必要はないので、視認されない線幅を維持しつつ、より高い発熱量を得ることが可能となる。これにより霜や曇りの除去性能を高めることができる。
【図面の簡単な説明】
【００１７】
【図１】図１（ａ）は１つの形態に係る通電加熱ガラス１０を説明する平面図、図１（ｂ）は第一発熱導体２２ａの１つの例である発熱導体２２Ｌの拡大図、図１（ｃ）は第一発熱導体２２ａの他の例である発熱導体２２Ｍの拡大図である。
【図２】通電加熱ガラス１０の層構成を説明する断面図である。
【図３】通電加熱ガラス１０の層構成を説明する他の断面図である。
【図４】加熱電極装置２０を説明する斜視図である。
【図５】第一発熱導体２２ａ、第二発熱導体２２ｂの断面の形態について説明する図である。
【図６】図６（ａ）〜図６（ｄ）は、通電加熱ガラス１０の作製方法を説明する図である。
【発明を実施するための形態】
【００１８】
本発明の上記した作用及び利得は、次に説明する形態から明らかにされる。以下本発明を図面に示す形態に基づき説明する。ただし、本発明はこれら形態に限定されるものではない。なお、図面に表れる各部材は理解し易さの観点から大きさや形状を誇張、変形して表すことがある。
【００１９】
図１（ａ）は１つの形態を説明する図で、通電加熱ガラス１０を平面視した概念図である。また、図１（ｂ）には図１（ａ）にＩａで示した部位の拡大図で、発熱導体２２ａ（発熱導体２２ｂも同様、例えば図２参照）の１つの例である発熱導体２２ａＬの拡大図を示した。図１（ｃ）には図１（ａ）にＩａで示した部位の拡大図で、発熱導体２２ａ（発熱導体２２ｂも同様、例えば図２参照）の他の例である発熱導体２２ａＭの拡大図を示した。
図２は図１に示したＩＩ−ＩＩ線による断面図であり、通電加熱ガラス１０の厚さ方向における層構成を説明する図である。図２は発熱導体２２ａ、２２ｂが延びる方向に沿った断面図である。
図３は図１に示したＩＩＩ−ＩＩＩ線による断面図であり、通電加熱ガラス１０の厚さ方向における層構成を説明する図である。図２は発熱導体２２ａ、２２ｂが延びる方向に直交する方向に沿った断面図である。
このような通電加熱ガラス１０は例えば自動車のフロントガラスとして自動車に備えられる。その他、いわゆるガラス窓を有するところに窓として用いることができ、これには例えば上記自動車をはじめ、鉄道、航空機、及び船舶等の乗り物の窓、並びに、建物の窓を挙げることができる。
【００２０】
図１（ａ）、図２、図３からわかるように、通電加熱ガラス１０は全体として板状であり、複数の層が厚さ方向（図１、図２に示したＺ軸方向）に積層してなる。より具体的には、本形態の通電加熱ガラス１０は、図２、図３の断面図に示す如く第一パネル１１、接着層１２、加熱電極装置２０、接着層１４、第二パネル１５を有して構成されている。以下、それぞれについて説明する。
【００２１】
第一パネル１１、及び第二パネル１５は、透光性を有する、即ち透明な板状の部材であり、互いに向かい合うように配置された板面間に間隔を有して略平行に配置されている。いわゆる二重パネル構造である。尚、此処で板面とは、図２、図３で言えば、第一パネル１１及び第二パネル１５の表面のうちＸＹ平面に平行な対向する２平面になる。この第一パネル１１と第二パネル１５との間に、加熱電極装置２０の一部が配置され、接着層１２、１４により一体化されている。
第一パネル１１及び第二パネル１５は板ガラスにより構成することができる。これには、当該通電加熱ガラス１０が適用される設備（例えば乗り物や建物）が通常に有する窓に用いられる板ガラスと同じものを用いることができる。例えばソーダライム硝子（青板硝子）、硼珪酸硝子（白板硝子）、石英硝子、ソーダ硝子、カリ硝子等から成る普通板ガラス、フロート板ガラス、強化板ガラス、部分板ガラス等が挙げられる。また、必要に応じて３次元的に曲面状に湾曲部を有するものであってもよい。
ただし必ずしもガラス板である必要はなく、アクリル樹脂、ポリカーボネート樹脂等の樹脂から成る樹脂板であってもよい。ただし、耐候性、耐熱性、透明性等の観点から板ガラスであることが好ましい。
これら第一パネル１１及び第二パネル１５の厚さは特に限定されることはないが、１．５ｍｍ以上５ｍｍ以下であることが一般的である。
【００２２】
接着層１２は第一パネル１１のうち第二パネル１５側となる面に積層された接着剤からなる層であり、加熱電極装置２０と第一パネル１１とを接着する。接着剤としては特に限定されることはないが、接着性、耐候性、耐熱性等の観点からポリビニルブチラール樹脂を用いることができる。
接着層１２の厚さは特に限定されることはないが、０．２ｍｍ以上１．０ｍｍ以下であることが一般的である。
【００２３】
加熱電極装置２０は、通電することによって発熱し、通電加熱ガラス１０を加熱するよう構成されている。図４には加熱電極装置２０に含まれる構成の一部を斜視図で表している。
図１〜図４よりわかるように本形態では加熱電極装置２０は、バスバー電極２１ａ、２１ｂ、発熱導体２２ａ、２２ｂ、電源接続配線２３、及び基材層２４を有している。便宜上ここでは基材層２４を最初に説明する。
【００２４】
基材層２４は、加熱電極装置２０の、特にバスバー電極２１ａ、２１ｂ及び発熱導体２２ａ、２２ｂがその一方の面上に配置されて、該バスバー電極２１ａ、２１ｂ及び発熱導体２２ａ、２２ｂの基材として機能する層である。基材層２４は透明な板状の部材であり、樹脂により形成されている。基材層２４を形成する樹脂としては可視光線波長帯域の波長（３８０ｎｍ〜７８０ｎｍ）を透過するものであれば如何なる樹脂でも良いが、好ましくは熱可塑性樹脂を用いることができる。この熱可塑性樹脂としては、例えばポリエチレンテレフタレート、ポリエチレンナレフタレート、アモルファスポリエチレンテレフタレート（Ａ−ＰＥＴ）等のポリエステル樹脂、ポリエチレン、ポリプロピレン、ポリメチルペンテン、環状ポリオレフィン等のポリオレフィン樹脂、ポリメチルメタクリレート等のアクリル樹脂、トリアセチルセルロース（三酢酸セルロース）等のセルロース系樹脂、ポリカーボネート樹脂、ポリスチレン、アクリロニトリル−スチレン共重合体等のスチレン系樹脂、ポリ塩化ビニル、等を挙げることが出来る。とりわけ、アクリル樹脂やポリ塩化ビニルは、エッチング耐性、耐候性、耐光性に優れていることから好ましい。基材層２４の厚さとしては、２０μｍ以上３００μｍ以下が一般的である。基材層２４を構成する樹脂層は必要に応じて１軸又は２軸延伸したものを用いる。
【００２５】
本形態でバスバー電極は、第一バスバー電極２１ａ及び第二バスバー電極２１ｂを有している。第一バスバー電極２１ａは基材層２４のうちの一方の面に配置され、２つの第一バスバー電極が２１ａが設けられている。２つの第一バスバー電極２１ａはそれぞれ一方向（図１においてはＸ軸方向）に延びる帯状であり、両者は所定の間隔を有して同じ方向に延びる（略平行となる）ように配置されている。
【００２６】
一方、第二バスバー電極２１ｂは基材層２４のうちの第一バスバー電極２１ａとは反対側である他方の面に配置され、２つの第二バスバー電極が２１ｂが設けられている。２つの第二バスバー電極２１ｂはそれぞれ一方向（図１においてはＸ軸方向）に延びる帯状であり、両者は所定の間隔を有して同じ方向に延びる（略平行となる）ように配置されている。
【００２７】
このような第一バスバー電極２１ａ及び第二バスバー電極２１ｂは公知の形態を適用することができ、帯状である当該電極の幅は３ｍｍ以上１５ｍｍ以下が一般的である。
【００２８】
本形態で発熱導体は、第一発熱導体２２ａ、及び第二発熱導体２２ｂを有している。
第一発熱導体２２ａは、基材層２４のうち第一バスバー電極２１ａが配置された側に配置され、２つの第一バスバー電極２１ａを渡すように該第一バスバー電極２１ａと交差する方向（図１においてはＹ軸方向）に延在して配置される。そして、２つの第一バスバー電極２１ａが第一発熱導体２２ａにより電気的に接続されている。この第一発熱導体２２ａが通電により発熱する。
このような第一発熱導体２２ａが、第一バスバー電極２１ａが延びる方向（図１においてはＸ軸方向）に複数配列されている。
【００２９】
一方、第二発熱導体２２ｂは、基材層２４のうち第二バスバー電極２１ｂが配置された側に配置され、２つの第二バスバー電極２１ｂを渡すように該第二バスバー電極２１ｂと交差する方向（図１においてはＹ軸方向）に延在して配置される。そして、２つの第二バスバー電極２１ｂが第二発熱導体２２ｂにより電気的に接続されている。この第二発熱導体２２ｂが通電により発熱する。
このような第二発熱導体２２ｂが、第一バスバー電極２１ｂが延びる方向（図１においてはＸ軸方向）に複数配列されている。
【００３０】
このように本発明では、発熱導体が基材層の表裏のそれぞれに配置されている。これによれば、それぞれの発熱導体は従来と同様に形成したとしても、厚さ方向に２つの発熱導体が配置されているので断面積は１つの場合に比べて大きくなる。第一発熱導体２２ａと第二発熱導体２２ｂとを同じ形状で形成すれば断面積は２倍となる。すなわち、発熱量も向上させることができる。
【００３１】
また、図３からわかるように、第一発熱導体２２ａと第二発熱導体２２ｂとを平面視で位置が一致するように形成すれば、線幅はいずれか一方の発熱導体を配置した場合と同じになるため、断面積の増加に伴う線幅の拡大はない。従って、従来通り視認されない範囲で線幅を形成することができる。
【００３２】
また、後で説明するとおり、断面積は増加しても、それぞれの発熱導体の作製は１つの発熱導体の作製するのと同じなので、生産性も良好であり、形状安定性も高い。
【００３３】
すなわち、本発明によれば、視認されない線幅を維持しつつ、より高い発熱量を得ることができ、霜や曇りの除去性能の高くすることができる。
【００３４】
第一発熱導体２２ａ、及び第二発熱導体２２ｂは、その断面において次のような形状を具備していることが好ましい。図５には図３にＶで示した部位を拡大した図を示した。
第一発熱導体２２ａ、第二発熱導体２２ｂは、加熱電極装置２０の厚さ方向において、基材層２４に面した面を平面視した長さ０．０１ｍあたりの表面積をＳＢ、その反対側の面を平面視した長さ０．０１ｍあたりの表面積ＳＴとしたとき、
０μｍ２＜ＳＢ−ＳＴ≦３００００μｍ２
が成立することが好ましい。ここで「長さ」とは、延びる第一発熱導体２２ａ、第二発熱導体２２ｂの一端と他端との距離をいう。より好ましくは、
０μｍ２＜ＳＢ−ＳＴ≦１５０００μｍ２
である。
これによれば、第一発熱導体２２ａ、第二発熱導体２２ｂを視認されない幅で作製した際に、断面積を大きくとることができ、高い出力を得ることが可能である。矩形（長方形）を作製することができれば理想ではあるが、エッチングにより作製することはいわゆるサイドエッジの性質上の観点から困難がある。
【００３５】
上記範囲を満たしつつ、その他の部位において次のように構成することがさらに好ましい。図５に説明のための符号を付している。
図５にＢで示した、隣り合う第一発熱導体２２ａ、第二発熱導体２２ｂの間隔Ｂは、０．５ｍｍ以上５．００ｍｍ以下であることが好ましい。より好ましくは１．０ｍｍ以上、さらに好ましくは１．２５ｍｍ以上である。
また、当該断面において、基材層２４に面する側の幅をＷＢ、及びその反対側の面の幅辺の長さをＷＴとしたとき、
ＷＢ＞ＷＴ、
３μｍ≦ＷＢ≦１５μｍ、及び
１μｍ≦ＷT≦１２μｍ
が成り立つことが好ましい。
なお、この断面は、その部位において最小断面になるように切断された面とする。また、発熱導体２２の表面に凹凸が形成されている場合には当該凹凸を含めた最小面積の断面を考えるものとする。
また、第一発熱導体２２ａ、第二発熱導体２２ｂの厚さＨは、５μｍ以上、３０μｍ以下であることが好ましい。
【００３６】
また、第一発熱導体２２ａ、第二発熱導体２２ｂは、隣り合う第一発熱導体２２ａ、第二発熱導体２２ｂとのピッチＰは、０．５ｍｍ以上、５．００ｍｍ以下とされることが好ましい。ピッチＰを０．５ｍｍより小さくすると複数の発熱導体が密に配置されて視認されやすくなる。好ましくは１．０ｍｍ以上、より好ましくは１．２５ｍｍ以上である。一方、ピッチＰが５．００ｍｍより大きいと均一な加熱性能が低下する虞がある。
【００３７】
第一発熱導体２２ａ、第二発熱導体２２ｂを構成する導体材料としては例えばタングステン、モリブデン、ニッケル、クロム、銅、銀、白金、アルミニウム等の金属、或いはこれら金属を含むニッケル−クロム合金、青銅、真鍮等の合金をエッチングによりパターン形成してなす帯状部材を挙げることができる。
【００３８】
本形態では第一発熱導体２２ａ、第二発熱導体２２ｂは、図１（ｂ）に於いて示した発熱導体２２の拡大図示のうちの符号２２ａＬで図示の如く、線条からなり平行直線群状に構成されているが、この他、図１（ｃ）に於いて示した発熱導体２２の拡大図示のうち符号２２ａＭのように帯状からなり波線状に形成れていてもよい。
【００３９】
電源接続配線２３は、図１（ａ）、図２からわかるように、２つの第一バスバー電極２１ａ間、及び２つの第二バスバー電極２１ｂ間に電源４０を接続する配線である。電源４０は、水滴（曇り）、凍結（霜）等を溶解或いは蒸発させるに必要な電力を供給可能なものであれば特に限定されることはなく、適宜の電圧、電流、或いは周波数を有する公知の直流又は交流電源を用いれば良い。ただし、通電加熱ガラス１０が自動車に適用される場合には、電源４０として例えば自動車に既設の鉛蓄電池、リチウムイオン蓄電池等のバッテリーを直流電源として用いることができる。勿論、別途専用の電源（電池、発電機等）を用いても良い。又、電動機を動力とする鉄道車両の場合は架線から給電された直流又は交流電力を適宜の電圧及び電流に変換して用いることも出来る。
このような電源接続配線２３は公知の構成を適用すればよい。
【００４０】
なお、本形態では図２からわかるように、第一バスバー電極２１ａに接続する電源接続配線２３にはスイッチ５０ａ、第二バスバー電極２１ｂと接続する電源接続配線２３にはスイッチ５０ｂをそれぞれ設けた。これによれば、例えば第一発熱導体２２ａ及び第二発熱導体２２ｂのいずれかだけに通電することもできる。
また、図示は省略したが、可変抵抗器を具備する等して、第一発熱導体２２ａ側の抵抗と、第二発熱導体２２ｂ側の抵抗と、を異なるものにして発熱量を基材層２４を挟んで異なるように制御できるようにしてもよい。これにより、例えば車内側の曇り除去用の発熱量と、車外側の霜除去用の発熱量とを個別に制御することも可能となる。
【００４１】
接着層１４は、加熱電極装置２０と第二パネル１５とを接着する層である。接着層１４は接着層１２と同じ構成とすることができる。
【００４２】
以上のような各構成により次のように通電加熱ガラス１０とされている。図２、図３からわかるように、第一パネル１１の一方の面に接着層１２が積層されておりこの接着層１２を介して加熱電極装置２０のうち第一バスバー電極２１ａ及び第一発熱導体２２ａ側が積層されている。また、加熱電極装置２０のうち第二バスバー電極２１ｂ、及び発熱導体２２ｂが配置された側に第二パネルが１５が配置されているが、両者の間を埋めるように接着層１４が配置されている。これにより第二パネル１５が加熱電極装置２０に積層される。
【００４３】
このような加熱電極装置２０及びこれを含む通電加熱ガラス１０は例えば次のように製造することができる。図６（ａ）〜図６（ｄ）に説明のための図を示した。
【００４４】
先ず、図６（ａ）に示したように、金属箔２２ａ’、２２’ｂを樹脂フィルムからなる基材層２４の表裏のそれぞれに接着剤層を介して貼り合せ積層した積層体を製造する。
次いで、図６（ｂ）に示したように、該積層体の金属箔２２ａ’、２２ｂ’上のそれぞれに感光性レジスト層８０を塗工形成する。
【００４５】
次いで、所望のパターン、例えば、図１（ｂ）に図示の如き帯状直線線条の平行配列パターンの第一発熱導体２２ａ、第一発熱導体２２ｂ、第一バスバー電極２１ａ及び第二バスバー電極２１ｂからなる加熱電極裝置２０の平面視パターンに基づいた遮光パターンを有するフォトマスクを用意する。そして、該フォトマスクを該感光性レジスト層８０上に密着させて載置する。そして、該フォトマスクを通して紫外線露光し、フォトマスクを除去後、公知の現像処理により未露光の感光性レジスト層を溶解除去して、図６（ｃ）に示したように所望パターン８０ａに合致する形状のレジストパターン層８０’を該金属箔２２ａ’、２２ｂ’上に形成する。
ここで図６（ｃ）には形成されるべき第一発熱導体２２ａ、第二発熱導体２２ｂの位置及び大きさを参考として破線及び薄墨で表している。図６（ｃ）からわかるように、本例では、レジストパターン層８０に形成されたレジストパターン８０ａの縁から、形成されるべき発熱導体２２の縁までの距離がＣとなるように構成されている。そしてこのＣは５μｍ以上３０μｍ以下であることが好ましい。これにより上記した形態の第一発熱導体２２ａ、第二発熱導体２２ｂをエッチングにより得ることができる。
【００４６】
次いで、該レジストパターン層８０’上から該積層体を腐蝕液によるエッチング（腐蝕）加工を行い、図６（ｄ）のように、該レジストパターン層８０’金属箔２２ａ’、２２ｂ’を腐蝕除去する。そして、該レジストパターン層を溶解除去（脱膜）する。斯くして、基材層２４の表裏それぞれに図１（ａ）の平面視形状及び図２、図３の断面形状の所定パターンの第一発熱導体２２ａ、第二発熱導体２２ｂ、第一バスバー電極２１ａ及び第二バスバー電極２１ｂが形成された積層部材を製造する。
【００４７】
次いで、第一パネル１１、接着層１２、基材層２４と加熱電極裝置２０とからなる積層部材、接着層１４、及び第二パネル１５を此の順に重ね、これら複数層を接着積層して一体化する。
以上の工程により、図１（ａ）の平面図及び図２、図３の断面図に示す、通電加熱ガラス１０を製造する。
【００４８】
以上説明した通電加熱ガラス１０の製造方法によれば、エッチングによっても断面形状が矩形に近い発熱導体を得ることができ、上底と下底との差が大きい台形断面である発熱導体に比べて、幅方向の大きさを小さく抑えつつも、厚さを大きくして断面積を大きくすることが可能となる。
【００４９】
通電加熱ガラス１０は例えば次のように用いられて作用する。ここでは１つの例として通電加熱ガラス１０を自動車のフロントパネルに適用した場合で説明する。
すなわち、図１の形態に於いては、通電加熱ガラス１０が自動車のフロントパネルの位置に配置される、この際には電源接続配線２３に開閉器５０ａ、５０ｂを介して電源４０が接続され、第一バスバー電極２１ａ、第二バスバー電極２１ｂを介して第一発熱導体２２ａ、第二発熱導体２２ｂを発熱させることができる。本形態に於いては、電源４０としては自動車に既設のバッテリーを用いている。開閉器５０ａ、５０ｂを閉じると、電源４０から電流が供給される。当該第一発熱導体２２ａ、第二発熱導体２２ｂはジュール熱の発熱により第一パネル１１、第二パネル１２が加熱されるのでフロントパネルとして機能する通電加熱ガラス１０の温度が上昇し、凍結及び曇りが解消される。本発明では通電加熱ガラス１０の厚さ方向に第一発熱導体２２ａ及び第二発熱導体２２ｂが設けられており、大きな断面積を確保しているので、発熱量が大きく、霜や曇りを効率よく速く除去することができる。
【００５０】
また、このように断面積を大きく確保しても線幅は拡大していないので発熱導体は視認されることはなく、適切な形態も保持することが可能である。
【００５１】
ここで、第一発熱導体２２ａと第二発熱導体２２ｂとを同じ条件としないで異なる発熱条件となるように通電すれば、通電加熱ガラス１０の表裏で発熱状況を変えることも可能であり、消費電力と発熱性能との最適化を図ることもできる。
【符号の説明】
【００５２】
１０  通電加熱ガラス
１１  第一パネル
１２  接着層
１４  接着層
１５  第二パネル
２０  加熱電極装置
２１ａ  第一バスバー電極
２１ｂ  第二バスバー電極
２２ａ  第一発熱導体
２２ｂ  第二発熱導体
２４  基材層
４０  電源
【図１】
2017111937.tif 000003
【図２】
2017111937.tif 000004
【図３】
2017111937.tif 000005
【図４】
2017111937.tif 000006
【図５】
2017111937.tif 000007
【図６】
2017111937.tif 000008